(57)【要約】【課題】この発明は、ビルに入居している各テナントの侵入監視／監視解除を行うＩＤ判別装置を通用口のある階にのみ設置し、高価なＩＤ判別装置の設置台数を減らし、低価格の機械警備システムを得る。【解決手段】テナントのテリトリーへの侵入を検知する侵入センサがビル内に入居している複数のテナント毎に設置されている。そして、侵入センサの侵入検知信号に基づいた侵入監視／侵入監視解除をテナント毎に設定するＩＤ判別装置４が、１階のエレベータの乗り場に設置され、照明スイッチのＯＦＦ信号を入力すると、該当するテナントの侵入監視を開始し、カードリーダ５でＩＤ番号を読み取ると、該ＩＤ番号に対応するテナントの侵入監視が行われているか否かを判別し、侵入監視が行われている場合に、テナントの侵入監視を解除する。【選択図】図４
2006065648.tif 000002
【特許請求の範囲】
【請求項１】
ビル内に入居している複数のテナントと、
上記テナント毎に設置されて、該テナントのテリトリーへの侵入を検知する侵入センサと、
上記侵入センサの侵入検知信号に基づいた侵入監視／侵入監視解除を上記テナント毎に設定するＩＤ判別装置と、を備えた機械警備システムにおいて、
上記ＩＤ判別装置は、上記ビルの所定階に設置され、警戒信号を入力したとき、該当するテナントの侵入監視を開始し、ＩＤ情報の読み込みが発生したとき、読み取られたＩＤ情報に対応するテナントの侵入監視が行われているか否かを判別し、侵入監視が行われている場合に、当該テナントの侵入監視を解除することを特徴とする機械警備システム。
【請求項２】
上記ＩＤ判別装置が設置される上記所定階は、通用口のある階であることを特徴とする請求項１記載の機械警備システム。
【請求項３】
上記テナント毎に設置され、作動されて上記警戒信号を出力する警戒スイッチを備え、
上記ＩＤ判別装置は、上記警戒スイッチからの上記警戒信号を入力した後、所定時間経過後に当該テナントの侵入監視を開始することを特徴とする請求項１又は請求項２記載の機械警備システム。
【請求項４】
上記警戒スイッチが上記テナントの照明スイッチを兼用することを特徴とする請求項３記載の機械警備システム。
【請求項５】
上記照明スイッチの警戒信号は、照明システムから上記ＩＤ判別装置に伝送されることを特徴とする請求項４記載の機械警備システム。
【請求項６】
上記ＩＤ判別装置は、受信装置を備え、該受信装置から受信したテナント特定信号および警戒信号に基づいて当該テナントの侵入監視を開始することを特徴とする請求項１又は請求項２記載の機械警備システム。
【請求項７】
上記ＩＤ判別装置は、ＩＤ情報の読み込みが発生したとき、読み取られたＩＤ情報に対応するテナントの侵入監視が行われているか否かを判別し、侵入監視が行われている場合に、エレベータのかごが当該テナントの所属階に到着するのを待って当該テナントの侵入監視を解除することを特徴とする請求項１乃至請求項６のいずれか１項に記載の機械警備システム。
【請求項８】
上記ＩＤ判別装置が、侵入監視が行われている上記テナントへの侵入発生を検知したときに、侵入発生が上記ビル内に報知されるとともに、該侵入発生が外部機関に通報されることを特徴とする請求項１乃至請求項７のいずれか１項に記載の機械警備システム。
【請求項９】
全ての上記テナントの侵入監視／侵入監視解除の状態を表示する集合表示器を備えていることを特徴とする請求項１乃至請求項８のいずれか１項に記載の機械警備システム。
【発明の詳細な説明】
【技術分野】
【０００１】
この発明は、ビル内に入居しているテナントの侵入監視を行う機械警備システムに関し、特にＩＤ判別装置を用いてテナントの侵入監視を解除する機械警備システムに関するものである。
【背景技術】
【０００２】
従来の機械警備システムでは、固有情報を記憶する記憶媒体と、この記憶媒体から固有情報を読み取り、この固有情報に対応するテナントの侵入監視が行われているか否かを判別し、侵入監視が行われている場合は解錠および侵入監視を止め、侵入監視が行われていない場合は施錠および侵入監視を開始する情報読み取り装置と、判別後一時的に、テナントの侵入監視が行われているかを表示する、複数のテナントに対して共通に設けられた共通表示装置と、テナントの侵入監視が行われているかを判別後に表示し直す、複数のテナントに対してそれぞれに設けられた個別表示装置と、を備えている（例えば、特許文献１参照）。
【０００３】
【特許文献１】特許第２５０２１５３号公報
【発明の開示】
【発明が解決しようとする課題】
【０００４】
従来の機械警備システムでは、テナントの侵入監視／監視解除を行う情報読み取り装置を各階に設置しているので、システムの価格が高騰してしまうという課題があった。
【０００５】
この発明は、上述のような課題を解決するためになされたもので、ビルに入居している各テナントの侵入監視／監視解除を行うＩＤ判別装置を通用口のある階にのみ設置し、高価なＩＤ判別装置の設置台数を減らし、低価格の機械警備システムを得ることを目的とする。
【課題を解決するための手段】
【０００６】
この発明は、ビル内に入居している複数のテナントと、上記テナント毎に設置されて、該テナントのテリトリーへの侵入を検知する侵入センサと、上記侵入センサの侵入検知信号に基づいた侵入監視／侵入監視解除を上記テナント毎に設定するＩＤ判別装置と、を備えた機械警備システムにおいて、上記ＩＤ判別装置は、上記ビルの所定階に設置され、警戒信号を入力したとき、該当するテナントの侵入監視を開始し、ＩＤ情報の読み込みが発生したとき、読み取られたＩＤ情報に対応するテナントの侵入監視が行われているか否かを判別し、侵入監視が行われている場合に、当該テナントの侵入監視を解除するものである。
【発明の効果】
【０００７】
この発明によれば、ＩＤ判別装置をビルの各階に設置する必要がなく、低価格の機械警備システムが実現される。
【発明を実施するための最良の形態】
【０００８】
実施の形態１．
図１はこの発明の実施の形態１に係る機械警備システムを採用したビル１階のレイアウト図、図２はこの発明の実施の形態１に係る機械警備システムを採用したビルＮ階のレイアウト図、図３はこの発明の実施の形態１に係る機械警備システムに適用されるＩＤ判別装置を示す斜視図、図４はこの発明の実施の形態１に係る機械警備システムの構成を説明するブロック図、図５はこの発明の実施の形態１に係る機械警備システムにおける出勤時の動作を説明するフローチャート、図６はこの発明の実施の形態１に係る機械警備システムにおける退勤時の動作を説明するフローチャートである。
【０００９】
図１乃至図３において、ビル１階には、玄関口２があり、例えば４つのテナント１ａ〜１ｄが入っている。そして、各テナント１ａ〜１ｄには、壁や仕切りがなく、図中点線で示されるテリトリーが割り当てられている。さらに、各テナント１ａ〜１ｄには、各テリトリーへの侵入を検知する侵入センサＳ１ａ〜Ｓ１ｄおよび各テリトリー内の照明をＯＮ／ＯＦＦする照明スイッチＳＷ１ａ〜ＳＷ１ｄが設置されている。なお、ビル１階には、従業員の通用口（図示せず）が設置されているものとする。
同様に、ビルＮ階には、３つのテナントＮａ〜Ｎｃが入っている。そして、各テナントＮａ〜Ｎｃには、壁や仕切りがなく、図中点線で示されるテリトリーが割り当てられている。さらに、各テナントＮａ〜Ｎｃには、各テリトリーへの侵入を検知する侵入センサＳＮａ〜ＳＮｃおよび各テリトリー内の照明をＯＮ／ＯＦＦする照明スイッチＳＷＮａ〜ＳＷＮｃが設置されている。
このように、ビルには、テナント１ａ〜１ｄ・・・Ｎａ〜Ｎｃ・・・が入居しており、エレベータ３が全テナントに共用されるように据え付けられている。
【００１０】
ＩＤ判別装置４は、カードリーダ５と、複数のテナント１ａ〜１ｄ・・・Ｎａ〜Ｎｃ・・・の監視状態を集合的に表示する液晶表示装置やプラズマ表示装置などからなる集合表示器６と、を備え、１階のエレベータ３横に設置されている。そして、集合表示器６には、全てのテナントに対し、テナント名と、「警戒」、「解除」又は「警報」とが表示されている。「警戒」の点灯表示は該当テナントの侵入監視中を示し、「解除」の点灯表示は該当テナントの侵入監視の解除を示し、「警報」の点灯表示は該当テナントの侵入発生を示している。さらに、集合表示器６には、カードリーダ５でリードされたＩＤ番号（ＩＤ情報）が登録されているＩＤ番号であるか否かを示す「ＯＫ」又は「ＮＧ」が一時的に表示されるようになっている。
なお、図中、符号７が階段を示している。
【００１１】
つぎに、機械警備システムの構成について図４を参照しつつ説明する。
ＩＤ判別装置４は、カードリーダ５および集合表示器６にバス８を介して接続された制御手段としてのＣＰＵ９、ＣＰＵ９の処理プログラムおよび固定データ等を格納してなる記憶手段としてのＲＯＭ１０、処理データおよび入力データ等を一時格納する記憶手段としてのＲＡＭ１１、各階の各テナントに設置されている侵入センサＳ１ａ〜Ｓ１ｄ・・・ＳＮａ〜ＳＮｃ・・・からの検知信号、各テナントに設置されている照明スイッチＳＷ１ａ〜ＳＷｄ・・・ＳＷＮａ〜ＳＷＮｃ・・・からのＯＮ／ＯＦＦ信号、さらにはエレベータ３の制御装置（図示せず）からのかご位置信号１４を入力するためのインターフェイス１２、侵入発生を外部機関である防災センタ／警備会社１５に通報するための伝送装置１３などを備えている。そして、ＣＰＵ９は、インターフェイス１２を介して入力される侵入センサＳ１ａ〜Ｓ１ｄ・・・ＳＮａ〜ＳＮｃ・・・の検知信号に基づいて、テナント１ａ〜１ｄ・・・Ｎａ〜Ｎｃ・・・への侵入を監視している。そして、ＣＰＵ９は、鳴動して侵入発生をビル内に報知するブザー１６にインターフェイス１２を介して接続され、外部機関である防災センタ／警備会社１５に伝送装置１３を介して接続されている。また、ＲＡＭ１０には、テナント１ａ〜１ｄ・・・Ｎａ〜Ｎｃ・・・のそれぞれに入室を許可されているＩＤ番号、テナント名、テナントの所属階およびテナントの監視状態が関連づけられて格納されている。なお、照明スイッチＳＷ１ａ〜ＳＷｄ・・・ＳＷＮａ〜ＳＷＮｃ・・・が警戒スイッチを兼用している。
【００１２】
つぎに、機械警備システムの出勤時の動作について図５を参照しつつ説明する。
出勤者は、出勤すると、まずＩＤ判別装置４に行き、集合表示器６の表示画面から、自分のテナント、例えばテナントＮａの監視状態、即ち「警戒／解除」の状態を確認する（ステップＳ１００）。そして、ステップＳ１０１に移行し、テナントＮａが警戒中でない、即ちテナントＮａに「解除」の点灯表示がなされていると、自分が二人目以降の出勤者と認識する。そして、エレベータ３のかご３ａを呼び、かご３ａに乗りこむ。そして、行き先階釦「Ｎ階」を押し、かご３ａがＮ階に着床後、降りてテナントＮａに行く。
また、ステップＳ１０１において、テナントＮａが警戒中である、即ちテナントＮａに「警戒」の点灯表示があると、自分が最初の出勤者と認識し、ステップＳ１０２に移行し、磁気カードやＩＣカードからなるＩＤカード（図示せず）をカードリーダ５に差し込む。そこで、ＩＤカードに書き込まれているＩＤ番号がカードリーダ５により読み込まれる。
【００１３】
ついで、ステップＳ１０３に移行し、ＣＰＵ９がＲＡＭ１１内に格納されているＩＤ番号と照合し、この読み込まれたＩＤ番号が登録されているか否かを判別する。そして、照合が不一致であると、読み込まれたＩＤ番号が登録されていないと判別され、集合表示器６に「ＮＧ」が一時的に表示される（ステップＳ１０４）。これにより、ＩＤ番号が登録されていないことが、出勤者に報知される。また、ステップＳ１０３において、照合が一致すると、読み込まれたＩＤ番号が登録されていると判別され、集合表示器６に「ＯＫ」が一時的に表示される（ステップＳ１０５）。これにより、出勤者は、ＩＤ番号が受け付けられたことを確認できる。ついで、ステップＳ１０６に移行し、テナントＮａに「解除」の点滅表示が集合表示器６になされる。そこで、出勤者は、エレベータ３のかご３ａを呼び、かご３ａに乗りこみ、行き先階釦「Ｎ階」を押す。
【００１４】
ついで、ＣＰＵ９は、ＲＡＭ１１に格納されているデータから、読み込まれたＩＤ番号に対応するテナント名（テナントＮａ）およびテナントの所属階（Ｎａ）を読み出し、インターフェイス１２を介して入力されるエレベータ３の制御装置（図示せず）からのかご位置信号１４に基づいて、ＩＤ番号が読み込まれてから所定時間経過後に、かご３ａが１階から出発したか否かを判別する（ステップＳ１０７）。
ついで、ステップＳ１０８に移行し、ＣＰＵ９は、かご位置信号１４に基づいて、かご３ａがＮ階に着床したか否かを判別する。そして、かご３ａがＮ階に着床したと判別されると、ＣＰＵ９は、読み込まれたＩＤ番号に対応するテナントＮａの侵入監視を解除し（ステップＳ１０９）、集合表示器６の表示画面に、当該テナントの侵入監視が解除された旨、即ちテナントＮａの「警戒」の点灯表示を消し（ステップＳ１１０）、さらにテナントＮａの「解除」の点滅表示を点灯表示に切り換える（ステップＳ１１１）。
そこで、出勤者は、かご３ａがＮ階に着床後、降りてテナントＮａに行き、始業の準備をすることになる。この時、テナントＮａの侵入監視が解除されており、侵入センサＳＮａが作動しても、ＣＰＵ９は「侵入」と判断しない。
【００１５】
そこで、次の出勤者は、集合表示器６の表示画面から、自分のテナントＮａが「解除」の点灯表示となっていることから、テナントＮａの侵入監視が解除されていることを把握し、カード操作することなく、かご３ａでＮ階に移動することになる。
また、自分のテナントＮａが「解除」の点滅表示となっている場合も、出勤者は、直前の出勤者が侵入監視の解除操作を行っている最中であることを把握でき、カード操作することなく、かご３ａでＮ階に移動することになる。
【００１６】
つぎに、機械警備システムの退勤時の動作について図６を参照しつつ説明する。
ＣＰＵ９は、インターフェイス１２を介して入力される照明スイッチＳＷ１ａ〜ＳＷ１ｄ・・・の信号に基づいて、テナントの照明スイッチがＯＦＦしたか否かを判別する（ステップＳ２００）。そこで、テナントＮａを最後に退勤する退勤者は、照明スイッチＳＷＮａをＯＦＦとし、テナントＮａの照明を消すと、ＣＰＵ９が、テナントＮａの照明スイッチＳＷＮａからのＯＦＦ信号（警戒信号）を入力し、照明スイッチＳＷＮａがＯＦＦしたことを認識する。
ついで、ステップＳ２０１に移行し、ＣＰＵ９は、所定時間経過後、テナントＮａの侵入監視を開始する。そして、集合表示器６の表示画面に、テナントＮａの侵入監視が開始された旨、即ちテナントＮａの「解除」の点灯表示を消し、「警報」を点灯表示する（ステップＳ２０２）。なお、この所定時間は、退勤者が照明を消してからテナントのテリトリー外に退去できるに十分な時間に設定されている。
ついで、ステップＳ２０３に移行し、ＣＰＵ９が、インターフェイス１２から入力される侵入センサＳＮａの検知信号をモニターし、テナントＮａへの侵入発生があるか否かを判別する。そして、テナントＮａへの侵入発生があったと判別されると、集合表示器６に表示されているテナントＮａの「警戒」の点灯表示が「警報」表示に切り換えられる（ステップＳ２０４）。ついで、ＣＰＵ９は、ブザー１６を鳴動させて侵入発生をビル内に報知し（ステップＳ２０５）、さらに侵入発生を防災センタ／警備会社１５に自動通報する（ステップＳ２０６）。
【００１７】
この実施の形態１によれば、１台のＩＤ判別装置４が通用口のある１階に設置されて、ビルに入居している全てのテナントの侵入監視／監視解除を行うように構成されているので、高価なＩＤ判別装置４が１台ですみ、安価な機械警備システムが実現される。
また、ＩＤ判別装置４が、各テナントに設置された照明スイッチのＯＦＦ信号（警戒信号）をモニターし、ＯＦＦ信号を発した照明スイッチが設置されているテナントの侵入監視を開始するように構成されているので、退勤者が、テナントの侵入監視を開始するためのカード操作を行う必要がない。
さらに、照明スイッチからのＯＦＦ信号を入力してから所定時間経過後に、当該テナントの侵入監視を開始するようにしているので、照明を消した退勤者がテナントのテリトリー外に退去してから、当該テナントの侵入監視が開始される。そこで、退勤者が照明を消してテナントを出る際に、侵入センサが作動しても、ブザー１６の鳴動や、防災センター／警備会社１５への通報が行われない。
【００１８】
また、出勤者が、ＩＤカードをカードリーダ５に差し込むと、ＣＰＵ９が読み取られたＩＤ番号が登録されているＩＤ番号と照合し、一致している場合に、該当するテナントの侵入監視を解除するように構成されているので、高度のセキュリティーが確保される。
また、読み取られたＩＤ番号に該当するテナントの侵入監視が行われているか否かを判別し、侵入監視が行われている場合に、かごがテナントの所属階に到着するのを待ってテナントの侵入監視を解除するので、出勤者が、ＩＤカードをカードリーダ５に差し込んだ後、かご３ａに乗って所属階に到着するまでの間も、自分のテナントの侵入監視が行われており、高度のセキュリティーが確保される。
【００１９】
また、全てのテナントに対する侵入監視／侵入監視解除の状態が集合表示器６に表示されているので、出勤者が、集合表示器６の表示画面から自分のテナントが警戒（侵入監視）、又は解除（侵入監視解除）であることを見ることで、最初の出勤者であるか否かを瞬時に認識できる。そこで、２番目以降の出勤者が、不要なカード操作をすることがなくなる。
また、最初の出勤者が、ＩＤカードをカードリーダ５に差し込んでから、所属階に到着するまでの間、集合表示器６に該当するテナントの「警戒」の点灯表示と「解除」の点滅表示がされているので、次の出勤者が、侵入監視の解除操作が行われていることを認識でき、不要なカード操作をすることがなくなる。
【００２０】
なお、上記実施の形態１では、ＩＤ判別装置４が通用口のある１階のエレベータ３横（乗り場）に設置されているものとして説明しているが、ＩＤ判別装置４の設置場所は、各テナントの従業員が出退勤する際に通行する場所であればどこでもよく、例えば従業員通用口でもよい。また、通用口が２階にある場合には、ＩＤ判別装置４は２階に設置されることになる。
また、上記実施の形態１では、１台のＩＤ判別装置４が設置するものとしているが、ＩＤ判別装置４を複数台設置するようにしてもよい。この場合、出勤時に混雑しても、あるいは通用口が複数ある場合にも、侵入監視の解除のためのカード操作がし易くなる。
また、上記実施の形態１では、かご３ａがＮ階に着床したと判別された時点で、テナントＮａの侵入監視を解除するものとしているが、侵入監視を解除する時点は、かご３ａがＮ階（該当階）に着床するための減速開始時点から、かご３ａが着床して戸開した後の戸閉時点までの間、さらには戸閉から所定時間経過時点に設定されていればよい。なお、侵入監視を解除する時点は、遅くなるほど、効果が大きくなる。
【００２１】
また、上記実施の形態１では、カードリーダ５でリードされたＩＤ番号が登録されているＩＤ番号であるか否かを示す「ＯＫ」又は「ＮＧ」を集合表示器６に表示するものとしているが、それらの情報を音声で報知するようにしてもよい。
また、上記実施の形態１では、侵入発生を防災センター／警備会社１５に自動通報するものとして説明しているが、侵入発生をビル内の警備室に自動通報するようにしてもよいことはいうまでもないことである。
また、上記実施の形態１では、かご３ａが当該テナントの所属階に到着するのを待って当該テナントの侵入監視を開始するものとして説明しているが、読み取られたＩＤ番号が登録ＩＤ番号に一致した場合に、即時に当該テナントの侵入監視を開始するようにしてもよい。
また、上記実施の形態１では、照明スイッチを警戒スイッチとして兼用するものとしているが、照明スイッチとは別に、専用の警戒スイッチを各テナントに設置するようにしてもよい。
また、上記実施の形態１では、集合表示器６がＩＤ判別装置４に一体に構成されているものとしているが、集合表示器６はＩＤ判別装置４と別体に構成してもよい。
【００２２】
実施の形態２．
この実施の形態２では、エレベータ３のかご３ａが２台以上あり、各かご３ａのサービスゾーンがわかれているビルに適用するものであり、ＩＤ判別装置４を１階の各かご３ａの乗り場にそれぞれ設置し、対応するかご３ａのサービスゾーンに該当する階に所属するテナントの侵入監視の開始／解除を設定できるように各ＩＤ判別装置４を動作させるものである。
従って、サービスゾーンが分かれている複数台のかご３ａのあるビルにおいても、上記実施の形態１と同様の効果が得られる。
【００２３】
実施の形態３．
図７はこの発明の実施の形態３に係る機械警備システムの構成を説明するブロック図である。
図７において、照明盤２０は、制御装置２１、インターフェイス２２および伝送装置２３を備え、テナントの照明状態を一括管理する照明システムを構成している。この制御装置２１は、照明スイッチＳＷ１ａ〜ＳＷｄ・・・ＳＷＮａ〜ＳＷＮｃ・・・からのＯＮ／ＯＦＦ信号をインターフェイス２２を介して入力し、テナント１ａ〜１ｄ・・・Ｎａ〜Ｎｃ・・・の照明状態を管理する。そして、制御装置２１は、ＯＦＦとなった照明スイッチに対応するテナントのコード番号とともに警戒信号を伝送装置２３を介してＩＤ判別装置４に伝送するように構成されている。
なお、他の構成は上記実施の形態１と同様に構成されている。
【００２４】
この実施の形態３では、ＣＰＵ９は、照明盤２０から伝送装置１３を介して入力される警戒信号に基づいて、テナントの照明スイッチがＯＦＦしたか否かを判別する。そこで、例えばテナントＮｃを最後に退勤する退勤者が、照明スイッチＳＷＮｃをＯＦＦとし、テナントＮｃの照明を消すと、警戒信号がテナントＮｃのコード番号とともに照明盤２０から入力され、ＣＰＵ９が、照明スイッチＳＷＮｃがＯＦＦしたことを認識する。そこで、ＣＰＵ９は、所定時間経過後、テナントＮｃの侵入監視を開始するとともに、テナントＮｃの「解除」の点灯表示を消し、「警報」を点灯表示する。
なお、他の動作は、上記実施の形態１と同様に動作する。
【００２５】
従って、この実施の形態３においても、上記実施の形態１と同様の効果が得られる。
また、ＩＤ判別装置４が、テナントの侵入監視を開始するための警戒信号をテナントの照明状態を一括管理する照明システムから直接伝送されるので、ＩＤ判別装置４の回路構成が簡素化される。
【００２６】
実施の形態４．
上記実施の形態１では、照明スイッチのＯＦＦ信号を警戒信号としてテナントの侵入監視を開始するものとして説明しているが、この実施の形態４では、ＩＤ判別装置４に無線受信装置を付加し、携帯電話などの携帯通信端末からの無線通信によりテナント特定信号および侵入監視開始信号（警戒信号）をＩＤ判別装置４に送信してテナントの侵入監視を開始させるようにするものであり、上記実施の形態１と同様の効果が得られる。
【００２７】
なお、上記各実施の形態では、テナントの侵入監視の開始／解除を行うための操作者のＩＤ判別を、磁気カードやＩＣカードなどからなるＩＤカードに書き込まれたＩＤ番号をカードリーダ５で読み込んで行うものとしているが、本発明は、このような接触式のＩＤ判別方式に限定されるものではなく、操作者のＩＤを判別できるものであればどのようなＩＤ判別方式を採用してもよい。
例えば、無線タグから送信されるＩＤ番号を無線タグリーダで読み込んでＩＤ判別を行うようにしてもよい。また、操作者が自分のＩＤ番号をテンキーから打ち込んでＩＤ判別を行うようにしてもよい。また、指紋、音声、網膜、アイリス、顔型などのバイオデータをリーダ（カメラやマイクなど）で取り込んでＩＤ判別を行うようにしてもよい。
【図面の簡単な説明】
【００２８】
【図１】この発明の実施の形態１に係る機械警備システムを採用したビル１階のレイアウト図である。
【図２】この発明の実施の形態１に係る機械警備システムを採用したビルＮ階のレイアウト図である。
【図３】この発明の実施の形態１に係る機械警備システムに適用されるＩＤ判別装置を示す斜視図である。
【図４】この発明の実施の形態１に係る機械警備システムの構成を説明するブロック図である。
【図５】この発明の実施の形態１に係る機械警備システムにおける出勤時の動作を説明するフローチャートである。
【図６】この発明の実施の形態１に係る機械警備システムにおける退勤時の動作を説明するフローチャートである。
【図７】この発明の実施の形態３に係る機械警備システムの構成を説明するブロック図である。
【符号の説明】
【００２９】
１ａ・・・１ｄ  テナント、Ｎａ・・・Ｎｃ  テナント、３  エレベータ、３ａ  かご、４  ＩＤ判別装置、５  カードリーダ、６  集合表示器、１５  防災センタ／警備会社（外部機関）、１６  ブザー、２０  照明盤（照明システム）、Ｓ１ａ・・・Ｓ１ｄ，ＳＮａ・・・ＳＮｃ  侵入センサ、ＳＷ１ａ・・・ＳＷ１ｄ，ＳＷＮａ・・・ＳＷＮｃ  照明スイッチ（警戒スイッチ）。
【図１】
2006065648.tif 000003
【図２】
2006065648.tif 000004
【図３】
2006065648.tif 000005
【図４】
2006065648.tif 000006
【図５】
2006065648.tif 000007
【図６】
2006065648.tif 000008
【図７】
2006065648.tif 000009